(57)【要約】      （修正有）【課題】敏感肌のユーザーが不安を感じることなく履くことができるようにした靴下を提供する。【解決手段】表糸と裏糸とでもって爪先部、足甲部、底部、踵部、レッグ部及び履口部を編成してなる靴下において、２０デニール〜７０デニールの範囲内の太さのポリウレタン糸４１Ａを芯糸として綿繊維４１Ｂを１０／１番手〜４０／１番手の範囲内の太さに紡績してなるコアスパンヤーン４１を裏糸とし、１本〜５本の表糸と１本〜３本の裏糸とで履口部にゴム糸を用いることなくレッグ部下端から履口部上端に向けて度目を連続的又は段階的に増加させることによってユーザーの脚形状に実質的に一致する形状に編成されている。【選択図】図２
2016014195.tif 000002
【特許請求の範囲】
【請求項１】
表糸と裏糸とでもって爪先部、足甲部、底部、踵部、レッグ部及び履口部を編成してなる靴下において、
２０デニール〜７０デニールの範囲内の太さのポリウレタン糸を芯糸として綿繊維を１０／１番手〜４０／１番手の範囲内の太さに紡績してなるコアスパンヤーンを裏糸とし、１本〜５本の表糸と１本〜３本の裏糸とで履口部にゴム糸を用いることなくレッグ部下端から履口部上端に向けて度目を連続的又は段階的に増加させることによってユーザーの脚形状に実質的に一致する形状に編成されていることを特徴とする靴下。
【請求項２】
上記コアスパンヤーンは、１本〜３本のポリウレタン糸を芯糸として綿繊維を紡績したものである請求項１記載の靴下。
【請求項３】
上記コアスパンヤーンは、１本の４４デニールのポリウレタン糸を芯糸として綿繊維を３０／１番手に紡績してなる請求項１記載の靴下。
【請求項４】
レッグ部下端から履口部上端に向けて度目を連続的又は段階的に増加させることによってユーザーの脚形状に実質的に一致する形状に、１×１のあぜ編み、２×１のあぜ編み及び／又は３×１のあぜ編みによって編成されている請求項１記載の靴下。
【発明の詳細な説明】
【技術分野】
【０００１】
この発明は靴下に関し、特に敏感肌のユーザーが不安を感じることなく履くことができるようにした靴下に関する。
【背景技術】
【０００２】
靴下では平編み、メッシュ編み、パイル編み、あぜ編み又はこれらの組合せによって編成し、締付力を付与することが行われているが、一般的にはレッグ部、足甲部、底部、爪先部及び踵部についてはその裏糸のカバーリングヤーン、例えばナイロン巻ポリウレタンの適度な伸縮弾性により、靴下を履いた人の脚や足にフィットさせる一方、履口部についてはカバーリングヤーンに加え、あるいはカバーリングヤーンに代えてゴム糸を編み込み、ゴム糸の大きな伸縮弾性によって靴下のずり落ちを防止することが行われている。
【０００３】
しかし、靴下のずれを確実に防止しようとすると、履口部の弾性を大きくする必要があり、靴下の履口が皮膚に喰い込むほど強く締め付けられて苦痛を感じることがあった。
【０００４】
これに対し、靴下の足首部分にのみゴム糸やカバーリングヤーンの弾性糸を編み込み、足首部分の上方のレッグ部や履口部には弾性糸を編み込まず、足首部分で締付け、レッグ部及び履口部をフリーな状態とし、レッグ部及び履口部の生地特性によってずれ落ちを防止するようにした靴下が提案されているが（特許文献１）、レッグ部及び履口部に適度な締付け感がないので、履いた時に違和感を感じて履きにくい。
【０００５】
他方、表糸と、ポリウレタンをポリエステルでカバーリングした裏糸のカバーリングヤーンとでもって爪先部、足甲部、底部、踵部、レッグ部及び履口部を編成してなる靴下において、レッグ部及び履口部がレッグ部下端から履口部上端に向けて度目を連続的又は段階的に増加させて脚レッグ部分の形状に実質的に一致するラッパ形状に、１×１のあぜ編み、２×１のあぜ編み及び／又は３×１のあぜ編みによって編成し、履口の喰い込みによる苦痛を感じることなく快適に履くことのできるようにした靴下が提案されている（特許文献２）。
【先行技術文献】
【特許文献】
【０００６】
【特許文献１】実公平０６−１９５２１号公報
【特許文献２】特許第４０３５９６４号公報
【発明の開示】
【発明が解決しようとする課題】
【０００７】
特許文献２記載の靴下は履口の喰い込みによる苦痛を感じることなく快適に履くことのできるものの、敏感肌のユーザーが履くと、肌に裏糸カバーリングヤーンのポリウレタンやポリエステルが触れ、肌がかぶれることがあり、使用し難かった。
【０００８】
本発明は、かかる問題点に鑑み、敏感肌のユーザーが不安を感じることなく履くことのできるようにした靴下を提供することを課題とする。
【課題を解決するための手段】
【０００９】
そこで、本発明に係る靴下は、表糸と裏糸とでもって爪先部、足甲部、底部、踵部、レッグ部及び履口部を編成してなる靴下において、２０デニール〜７０デニールの範囲内の太さのポリウレタン糸を芯糸として綿繊維を１０／１番手〜４０／１番手の範囲内の太さに紡績してなるコアスパンヤーンを裏糸とし、１本〜５本の表糸と１本〜３本の裏糸とで履口部にゴム糸を用いることなくレッグ部下端から履口部上端に向けて度目を連続的又は段階的に増加させることによってユーザーの脚形状に実質的に一致する形状に編成されていることを特徴とする。
【００１０】
本発明の特徴の１つは、２０デニール〜７０デニールの範囲内の太さのポリウレタン糸を芯糸として綿繊維を１０／１番手〜４０／１番手の範囲内の太さに紡績してなるコアスパンヤーンを裏糸として用いるようにした点にある。
【００１１】
これにより、靴下内面には綿糸のみが現れ、ポリウレタン糸は露出しないので、敏感肌のユーザーが本発明の靴下を履いても肌がかぶれることはない。
【００１２】
コアスパンヤーンは弾性の大きいポリウレタン糸の場合には１本のポリウレタン糸を芯糸として綿糸を紡績するのがよいが、弾性の小さいポリウレタン糸の場合には２本又は３本のポリウレタン糸を芯糸として用いることもできる。
【００１３】
本件発明者らの実験によれば、１本の４４デニールのポリウレタン糸を芯糸として綿繊維を３０／１番手に紡績してなるコアスパンヤーンがレッグ部及び履口部の縦横への伸縮性が優れ、靴下の裏糸に最適であることが確認された。
【００１４】
また、本発明に係る靴下の編み方は特に限定されず、シングルシリンダ編み機やダブルシリンダ編み機を用い、平編み、メッシュ編み、パイル編み、あぜ編み、リンクス編みなどの各種の編み目に編成することができる。
【００１５】
例えば、レッグ部下端から履口部上端に向けて度目を連続的又は段階的に増加させることによって、ユーザーの脚形状に実質的に一致する形状に、１×１のあぜ編み、２×１のあぜ編み及び／又は３×１のあぜ編みによって編成することができる。
【００１６】
これにより、あぜ編みによって適度な伸び特性と適度の締付力とが得られ、しかもレッグ部と履口部をユーザーの脚形状にほぼ一致した形状とすると、適度な伸びと締付力とによってユーザーの脚全体をふんわりと包み込むことができるとともに、締付力が脚全体に均等に作用するので、靴下がユーザーの脚にしっかりと抱きついて保持され、ずれ落ちることがない。その結果、履口が皮膚に喰い込むといったことはなく、しかも適度な締付感があるので、違和感なく履くことができる。
【００１７】
また、履口部にゴム糸を編み込んでおらず、あぜ編みによる適度な伸び特性により、小さな力でレッグ部及び履口部の全体が大きく伸びるので、手足の筋力が弱った老人や病人にも容易に履くことができ、又脱ぐ時にも靴下を簡単に脱ぐことができる。
【００１８】
ここで、あぜ編みとはたて方向の表目のウェールと裏目のウェールとが交互に並ぶ編み方をいうが、１ウェールごとに表目と裏目とを配列したものを１×１のあぜ編み、表目２ウェールごとに裏目を１ウェール配列したものを２×１のあぜ編み、表目３ウェールごとに裏目を１ウェール配列したものを３×１のあぜ編みという。本件発明者らの試作によれば１×１のあぜ編みから３×１のあぜ編みまでで良好な結果が得られたが、靴下のずれ落ちを防止する上で、１×１のあぜ編みで最も効果が確認された。なお、１×１のあぜ編みを主とし、部分的に２×１のあぜ編み又は３×１のあぜ編みを組合せても良好な結果が得られた。
【００１９】
足甲部、爪先部、底部及び踵部については編み方は特に限定されず、平編み、メッシュ編み、パイル編み、あぜ編みあるいはこれらの組合せで編成することができる。
【００２０】
表糸については特に限定されず、綿糸、綿アクリル混紡糸、毛糸、毛アクリル混紡糸、絹糸、絹アクリル混紡糸等、靴下に採用される各種の編み糸を用いることができる。本発明はレッグ部の短いソックス、レッグ部の長いハイソックスのいずれにも適用できる。
【図面の簡単な説明】
【００２１】
【図１】本発明に係る靴下の好ましい実施形態を示す図である。
【図２】上記実施形態において使用するコアスパンヤーンを示す図である。
【図３】上記実施形態におけるあぜ編みを説明するための図である。
【発明を実施するための形態】
【００２２】
以下、本発明を図面に示す具体例に基づいて詳細に説明する。図１ないし図３は本発明に係る靴下の好ましい実施形態を示す。靴下は履口部１０、レッグ部１１、足甲部１２、底部１３、踵部１５及び爪先部１４から構成されている。
【００２３】
また、履口部１０及びレッグ部１１は表糸４０として３０／１番手の綿糸を３本、裏糸４１として４４デニールのポリウレタン糸４１Ａを芯糸として綿繊維４１Ｂを３０／１番手に紡績したコアスパンヤーンを１本用い、１×１のあぜ編みにて編成されている。なお、部分的には２×１のあぜ編み又は３×１のあぜ編みを組み合わせてもよい。
【００２４】
また、足甲部１２は全体に等しい度目が採用され、履口部１０及びレッグ部１１についてはレッグ部１１下端から履口部１０上端に向けて度目が連続的（又は段階的）に増加され、これによりユーザーの脚形状に実質的に一致するラッパ形状となっている。
【００２５】
また、底部１３、爪先部１４及び踵部３５は同じ表糸及び裏糸を用い、平編みにて編成されている。
【００２６】
ここで、１×１のあぜ編みは図３に示されるように、表目のウェール５０と裏目のウェール５１とが交互に並んだ編み目に構成されている。なお、４０は表糸、４１は裏糸である。
【００２７】
以上のような本例の靴下では２０デニール〜７０デニールの範囲内の太さのポリウレタン糸を芯糸として綿繊維を１０／１番手〜４０／１番手の範囲内の太さに紡績してなるコアスパンヤーンを裏糸４１として用いるようにしたので、靴下内面には綿糸のみが現れ、ポリウレタン糸は露出しないので、敏感肌のユーザーが靴下を履いても肌がかぶれることはない。
【００２８】
また、靴下のレッグ部１１及び履口部１０をあぜ編みとし、しかもユーザーの脚形状とほぼ合致するラッパ形状としたので、あぜ編みの適度な伸びと適度な締付力とによってユーザーの脚全体をふんわりと包み込み、しかも締付力がユーザーの脚全体に均等に作用し、靴下のレッグ部１１及び履口部１０が脚レッグ部分Ｌに抱きついて保持され、靴下がずり落ちるのを確実に防止できる。
【００２９】
その結果、履口部１０にゴム糸を編み込んで履口部１０の締付力を大きくする必要はなくなり、靴下履口部１０の不快な喰い込み感を解消できる。
【００３０】
また、履口部１０にゴム糸を編み込んでおらず、しかもあぜ編みの適度な伸び特性により小さな力で靴下の履口部１０及びレッグ部１１の全体が大きく伸びるので、手足の筋力が弱った老人や病人にも容易に履くことができ、又脱ぐ時にも靴下を簡単に脱ぐことができる。
【００３１】
なお、靴下各部の編み方は上記の例に限定されず、メッシュ編み、パイル編み、あぜ編み、リンクス編みなどの各種の編み方を採用することができる。
【符号の説明】
【００３２】
１０    履口部
１１    レッグ部
１２    足甲部
１３    底部
１４    爪先部
１５    踵部
【図１】
2016014195.tif 000003
【図２】
2016014195.tif 000004
【図３】
2016014195.tif 000005